(57)【特許請求の範囲】
【請求項１】
皮膚、唇、爪及び毛髪から選択されるケラチン成分を含む身体部位の外観を忠実に模造するように構成された、複数の比較サンプルを有するマッチングチャートであって、
それら複数の比較サンプルが、前記ケラチン成分を含む身体部位の色を模造し、なおかつ、前記の身体部位のもつ色以外の少なくとも一つの外観特性を比較サンプル毎に変えながら模造するように構成され、
しかも、前記の色以外の少なくとも一つの外観特性とは、前記の身体部位の外観がもつ輝度、色の不均一性又はレリーフの何れか一つである
ことを特徴とするマッチングチャート。
【請求項２】
前記色以外の少なくとも１つの外観特性とは輝度である請求項１に記載のチャート。
【請求項３】
前記色以外の少なくとも１つの外観特性とはレリーフである請求項１に記載のチャート。
【請求項４】
前記色以外の少なくとも１つの外観特性とは色の不均一性であるである請求項１に記載のチャート。
【請求項５】
背景色とは異なる色のマークを備えた少なくとも２枚の比較サンプルを有し、前記マークは一方のサンプルと他方のサンプルにおいて、数、分布またはサイズの何れか少なくとも一つが異なる請求項４に記載のチャート。
【請求項６】
前記レリーフが不均一性を有し、少なくとも２枚の比較サンプルが異なる分布のレリーフを有する請求項３に記載のチャート。
【請求項７】
少なくとも３段階の前記色以外の外観特性を有する請求項１に記載のチャート。
【請求項８】
前記輝度が不均一性を有する請求項２に記載のチャート。
【請求項９】
前記少なくとも１枚の比較サンプルが、少なくとも１つの比較的光沢のある範囲を有し、前記少なくとも１つの比較的光沢のある範囲が光沢ワニスを備える請求項７に記載のマッチングチャート。
【請求項１０】
前記少なくとも１つの比較的光沢のある範囲の幅が約３００マイクロメートルである請求項９に記載のマッチングチャート。
【請求項１１】
前記少なくとも１枚の比較サンプルが比較的光沢のない範囲を有し、前記比較的光沢のない範囲が無光沢ワニスを備える請求項７に記載のマッチングチャート。
【請求項１２】
前記少なくとも１つの比較的光沢のない範囲の幅が約１００マイクロメートルである請求項１１に記載のマッチングチャート。
【請求項１３】
前記少なくとも１枚の比較シートがレリーフパターンを有し、前記レリーフパターンが一定でない輝度を提供するように構成されている請求項１に記載のマッチングチャート。
【請求項１４】
前記レリーフパターンが、少なくとも１つの溝と少なくとも１つの平坦部分を有し、前記少なくとも１つの平坦部分が光沢ワニスで被覆され、前記少なくとも１つの溝が光沢ワニスで被覆されていない請求項１３に記載のマッチングチャート。
【請求項１５】
前記比較サンプルが実質的に均一な輝度を呈する請求項２に記載のチャート。
【請求項１６】
前記各比較サンプルは、反射率スペクトルが前記ケラチン成分を含む身体部位のプロフィールに十分に近いプロフィールを呈する方法で選択した色素又は染料の少なくとも何れか一つの手段により作成され、
前記ケラチン成分を含む身体部位の色が、その身体部位と、その身体部位に関連する比較サンプルとが少なくとも２つの異なる光源下で同じ色を有するように観察者に示されるように再現されるものである請求項１に記載のチャート。
【請求項１７】
前記各比較サンプルが、光源（Ｄ６５、Ｄ５０、Ａ）の少なくとも２つの下で、前記ケラチン成分を含む身体部位の色を忠実に再現する請求項１６に記載のチャート。
【請求項１８】
前記各比較サンプルが一般的に矩形である媒体上に作成されている請求項１〜１７のいずれか一項に記載のチャート。
【請求項１９】
前記少なくとも各々の比較サンプルは穴を具備した媒体上に形成される請求項１〜１８のいずれか一項に記載のチャート。
【請求項２０】
前記少なくとも１枚の比較サンプルが、前記サンプルの色と、色以外の少なくとも１つの外観特性とに関連した識別子を備える請求項１〜１９のいずれか１項に記載のマッチングチャート。
【請求項２１】
前記少なくとも１枚の比較サンプルが、ケラチン性要素に塗布することを目的とした製品の包装容器上に表示されるように構成されている請求項１〜２０のいずれか１項に記載のマッチングチャート。
【請求項２２】
少なくとも２枚の比較サンプルが異なる輝度を有する請求項２に記載のチャート。
【請求項２３】
少なくとも２枚の比較サンプルが状態の異なるレリーフを有する請求項３に記載のチャート。
【請求項２４】
少なくとも２枚の比較サンプルが、各比較サンプル内に異なる形で分布された色を有する請求項４に記載のチャート。
【請求項２５】
少なくとも４段階の前記色以外の外観特性を有する請求項７に記載のチャート。
【請求項２６】
少なくとも５段階の前記色以外の外観特性を有する請求項７に記載のチャート。
【請求項２７】
前記各比較サンプルが約60mm×100mmの寸法を有する一般的な矩形形状とした請求項１８に記載のチャート。
【請求項２８】
前記穴が、長手方向に沿って１／３の位置に配置された請求項１９に記載のチャート。
【請求項２９】
前記穴が、約２０mmの円形とした請求項１９に記載のチャート。
【発明の詳細な説明】
【０００１】
【発明の属する分野】
本発明は、各々が、皮膚、唇、爪、毛髪のようなケラチン性要素の再現を目的とした複数の比較サンプルをグループ分けするマッチングチャートに関するものである。
【０００２】
【発明が解決しようとする課題】
皮膚、唇、爪、毛髪の外観を忠実に再現するチャートが必要である。
本発明は、この必要性を満たす具体的な方法を提供することにある
【０００３】
【課題を解決するための手段】
本発明は、ケラチン性要素の外観を模造するように構成された少なくとも１枚の比較サンプルを備え、また、少なくとも1枚の比較サンプルが、ケラチン性要素の色、色以外の少なくとも１つの外観特性を模造するように構成されている新規のマッチングチャートの手段によりこれを達成する。
【０００４】
このマッチングチャートは、複数の比較サンプルを備えることができ、比較サンプルの各々が、ケラチン性要素の色、色以外の少なくとも1つの外観特性を模造するよう構成されている。
【０００５】
少なくとも２枚のサンプルシートが、この色以外の外形特性を異なる度合いに再現することが好ましい。
【０００６】
従って、本発明のチャートは、色の違いだけでなく、色以外の少なくとも１つの外観特性を異なる度合いに再現することができ、これにより、様々なタイプのケラチン性要素を、色以外を考慮してさらに細かく区分することが可能になる。
【０００７】
本発明のある特定の実施の形態では、上述した外観特性は輝度又は光沢である。
【０００８】
チャートは、輝度の異なる少なくとも２枚の比較サンプルを備えることが好ましい。
【０００９】
従って、このチャートにより、例えば、色が同じであっても、光沢のない皮膚と光沢のある皮膚を区別することが可能になる。
【００１０】
チャートは、少なくとも３段階、又は当然少なくとも４段階、あるいは少なくとも５段階の色以外の外観特性を備えることができる。
【００１１】
色以外の外観特性は輝度に限定されるものではなく、また、例えば各比較サンプル中に色を異なる形で分布した少なくとも２枚の比較サンプルによる、例えば、色の不定性によって構成することができる。
【００１２】
例として、少なくとも２枚の比較サンプルは、背景色とは異なる色のマークを備えることができ、マークの数及び/又は分布及び/又はサイズはサンプル毎に異なる。
【００１３】
例として、このようなマークは、特に日光の影響下で、加齢する皮膚に現れる肝斑を示すことができる。
【００１４】
色以外の外観特性は、例えば、異なるレリーフの分布を施した少なくとも２枚の比較サンプルによる、レリーフの不定性であってもよい。
【００１５】
比較サンプルは、特に皮膚の外観を模造する際の輝度の不定性、特にその局所的に多少光沢のある特性を呈することができる。
【００１６】
このような一定でない輝度を得るためには、比較サンプルが、輝度の異なる表面上の各範囲に並置されることが好ましい。
【００１７】
より光沢のある範囲の輝度は光沢ワニスによるものであってよく、また、光沢の少ない範囲の無光沢特性は無光沢ワニスによるものであってよい。
【００１８】
比較サンプルに皮膚の外観を模造させようとする場合、より光沢のある範囲の幅は３００マイクロメートル（μｍ）付近であってよく、光沢の少ない範囲の幅は１００μｍ付近であってよい。
【００１９】
本発明の特定の実施の形態において、比較サンプルは、一定でない輝度を呈するべく決められたレリーフを設けている。
【００２０】
このレリーフは、溝と平坦部分を画定することが有益であり、平坦部分は光沢ワニスで被覆され、溝は被覆されない。
【００２１】
応用として、各比較サンプルが一定の輝度を呈することができる。
【００２２】
各比較サンプルは、反射率スペクトルがケラチン性要素のプロフィールに十分に近いプロフィールを呈する方法で選択した色素及び/又は染料の手段により作成され、ケラチン性要素の色が、要素及び関連する比較サンプルを少なくとも２つの異なる光源下で同じ色を有するよう観察者に示されるように再現される。
【００２３】
従って、例えば美容師、臨床家、皮膚科医、あるいは美容分野の資格を何も持っていない人物のようなチャートの使用者も、所与の光源下で評価する皮膚の色と関連する比較サンプルを、その選択の結果が別の光源下でも有効であることを確信しながら選択することが可能である。
【００２４】
各比較サンプルは、Ｄ６５（日光）、Ｄ５０、Ａ（白熱灯）の内の少なくとも２つの光源下で、ケラチン性要素の色を忠実に再現することが好ましい。
【００２５】
本発明のある面によれば、光源の変更による色の差異は４未満であり、好ましくは２未満である。
【００２６】
これにより、比較を行う際に、特定の発光スペクトルを有するランプを用いる必要がないため、皮膚の色、又は皮膚以外のケラチン性要素の色の評価が容易になる。
【００２７】
本発明の好ましい実施の形態では、各比較サンプルの反射率スペクトルは、好ましくは４００〜８００ナノメートル（ｎｍ）のスペクトル範囲内の関連するケラチン性要素の反射率スペクトルと近い。
【００２８】
この容量は次式の通りであることが好ましい。
0004478365.tif 000002
ここで、ＩＲＭＯＤ（λ）は、比較サンプルの波長λで反射された光の強度であり、ＩＲＲＥＦ（λ）は、ケラチン性要素の波長λで反射された光の強度であり、
０．１よりも小さいか、又はこれと等しく、０．０５よりも小さいことが好ましく、＜０．０１であることがさらに好ましい。
【００２９】
詳細には、チャートが皮膚の色を再現する比較サンプルを備える場合に、比較サンプルは異なる色調を、ＣＩＥＬ*Ｃ*ｈ  １９７６  色スペースにおける４０°〜７０°の範囲内、好ましくは４６°〜６４°の範囲内に入る色調角度で呈することが有益である。
【００３０】
例として、チャートは、各々が、別のカテゴリの色調とは異なる特定の色調を呈する、少なくとも１０個の比較サンプルのカテゴリを備えることが可能である。
【００３１】
比較サンプルはさらに、異なる明度を、３４〜７５の範囲内に入る明度レベル（ＣＩＥＬ*Ｃ*ｈ  １９７６  色スペース内のＬ*）で有益に呈することができる。
【００３２】
例として、チャートは、各々が別のカテゴリとは異なる特定の明度レベルを呈する、少なくとも５つの比較サンプルのカテゴリを備えることができる。
【００３３】
本発明の好ましい実施の形態では、チャートは、１０の色調と５つの明度レベルの組合わせに関連した５０色を備えている。
【００３４】
隣接する皮膚の色に関連した２枚の比較サンプル間の、ＣＩＥＬ*Ｃ*ｈ  １９７６  色スペースで測定した全体の色差異△Ｅ*Ｃ*ｈ．９４は均一であることが好ましく、該差異は、１〜４０の範囲内、より好ましくは１〜２０の範囲内、またさらに好ましくは４に近いことが好ましい。
【００３５】
所与の比較サンプルにおいて、皮膚の質感を模造するべく、色はその比較サンプルの前面にかけて一定でかつ均一であっても、又は一定でなくてもよい。
【００３６】
これにより、比較サンプルに異なる色の２つの色コーティングを施すことができ、人間の目には、この２つが一緒になり中間色として認識される。
【００３７】
さらに、滑らかでなく、皮膚の粒子を模造する方法で選択したレリーフを施した比較サンプルの媒体上に色コーティングを施すことができる。
【００３８】
各比較サンプルは、例えば約６０ミリメートル（ｍｍ）×１００ｍｍの寸法の、一般に矩形の媒体上に作成することが可能である。
【００３９】
チャートは、扇を形成するように接続した複数の比較サンプルを備えることができる。
【００４０】
チャートはさらに、好ましくは細片の形状をした共通媒体上に複数の比較サンプルを備えることができる。
【００４１】
チャートはさらに、包装容器上に嵌め込むか印刷された１つの比較サンプルを備えることができる。
【００４２】
比較サンプルの各々を、例えば長さの１/３の位置に穴を備えた媒体の形状に作成することが有益であり、該穴が、例えば直径約２０ｍｍの円形である。
【００４３】
各比較サンプルは、英数字コードのような独自の識別子を備えることができ、これにより、使用者が異なる比較サンプルを容易に識別することができるようになる。
【００４４】
さらに本発明は複数の比較サンプルを備えることができ、各比較サンプルが、ケラチン性要素の外観を模造するように構成されており、各比較サンプルが、ケラチン性要素の色と、色以外の少なくとも１つの外観特性とを模造するように構成され、この色以外の少なくとも１つの外観特性が輝度を備え、少なくとも２枚の比較サンプルが、異なる輝度を備えるように構成される。
【００４５】
さらに本発明はチャートの作成方法を提供し、この方法において、複数の比較サンプルがグループ分けされ、各サンプルがケラチン性要素、特に皮膚のようなケラチン性要素の色と、色以外の外観の特性、特に輝度を再現する。
【００４６】
媒体とコーティングの少なくとも１つに、例えば皮膚の質感の模造を可能にする処理を施すことができる。
【００４７】
このような処理は、媒体のエンボス加工、また当然、コーティングを備えることが可能である。
【００４８】
さらにこの処理は、着色した背景上にパターンを印刷することで構成することができ、このパターンは、背景色とは異なる色から成る。
【００４９】
さらにこの処理は、比較サンプルに一定でない輝度を与えるべく、無光沢又は光沢ワニスを印刷することで構成することができる。
【００５０】
比較サンプルは、必要に応じて、無光沢ワニスと光沢ワニスの両方のインプリントを設けることができる。
【００５１】
全ての場合において、コーティングの作成に使用する色素及び/染料の選択は、実行する処理の最終色への入射の関数として行うことができる。
【００５２】
本発明はさらに、化粧品又はケア製品、特にファンデーションメークアップを製造する方法を提供し、該方法は、
-  上述のように定義されたチャートを用意する段階と、
-  どの比較サンプルが、ある人物の肌の色及び色以外の外観特性に関連するか、また、所望の色及び色以外の外観特性に関連するかを決定する段階と、
-  該人物の肌に塗布する化粧品又はケア製品、特にファンデーションメークアップを製造する段階とを有し、該化粧品又はケア製品が、この方法で決定した比較サンプルの色及び色以外の外観特性を備える。
【００５３】
上述の方法で、このチャートは、物理形態で提供したり、適切なプリンタを用いて、ダウンロードしたファイルから印刷することができる。
【００５４】
本発明はさらに、化粧品又はケア製品、特に、皮膚の輝度に作用する製品の効果を測定する方法を提供し、この方法は、
-  上記で定義した比較サンプルの内、所与の人物の皮膚の色及び色以外の外観特性に最も近い色及び色以外の外観特性、特に輝度を有するのはどれであるかを決定する段階と、
-  人物の皮膚に化粧品又はケア製品を投与又は塗布する段階と、
-  チャートの比較サンプルと新規に比較することで、皮膚の色及び/又は色以外の概観特性、特に輝度におけるあらゆる変化を観察する段階とを有する。
【００５５】
このような方法により、色及び/又は輝度における変化、又は処置後における皮膚の色以外の外観特性の変化の量化が容易になり、これによって、処置の効果の評価が容易になる。
【００５６】
本発明はさらに、個人の肌の色又は色以外の外観特性におけるあらゆる異常な変化、例えば特に輝度における変化、また不健康状態の特性を検出するべくチャートを用いて個人の健康状態を決定するための、上記で定義したとおりのチャートの使用を提供する。
【００５７】
本発明はさらに、化粧品又はケア製品を選択する方法を提供し、この方法は、-  色の異なる化粧品又はケア製品範囲内の各包装容器に、各製品の色及び輝度に特定の英数字コードのような識別子を持たせる段階と、
-  同識別子を、請求項２で定義したチャートの比較サンプル上に表示させる段階と、
-  チャートのどの比較サンプルが、所与の個人の皮膚の色及び輝度に最も
近い色及び輝度を有するかを決定する段階と、
-  個人の皮膚に塗布するための、事前に決定した比較サンプル上の識別子と同一の識別子を持った包装容器を備える製品を選択する段階とを有する。
【００５８】
本発明はさらに、ケラチン性要素の処置方法を提供し、該方法は、
-  上記のように定義されたマッチングチャートを提供する段階と、
-  チャートを用いて、ケラチン性要素の色及び色以外の外観特性を決定する段階と、
-  色及び外観特性に基づいて、ケラチン性要素を処置する段階とを有する。
本発明はさらに、ケラチン性要素への塗布を目的とした製品の製造方法を提供し、この方法は、
-  上記のように定義されたチャートを用意し、
-  少なくとも１枚の比較サンプルを選択し、
-  選択した少なくとも１枚の比較サンプルの色と、色以外の外観特性とに従い、ケラチン性要素への塗布を目的とした製品を作る。
【００５９】
少なくとも１枚の比較サンプルの選択は、複数の比較サンプルのどれが、製品を塗布するケラチン性要素の色及び色以外の外観特性と実質的に関連するかを決定することができる。
【００６０】
少なくとも１枚の比較サンプルの選択は、どの比較サンプルが、製品の使用者が所望する色及び色以外の外観特性と実質的に関連するかを決定することができる。
【００６１】
製品は、化粧品製品及びケア製品の少なくとも１つから選択できる。この製品は、ファンデーションメークアップ製品、コンシーラ製品、リップメークアップ製品、ヘアカラー製品、ヘアケア製品、マニキュア、ほお紅、アイシャドー、スキンカラーリング製品、スキンケア製品の中から選択できる。
【００６２】
色以外の少なくとも１つの外観特性は輝度を備えていてよい。少なくとも２枚の比較サンプルは、異なる輝度を備えるように構成することができる。色以外の少なくとも１つの外観特性はレリーフを備えていてよい。少なくとも２枚の比較サンプルは、度合いの異なるレリーフを備えるように構成することができる。色以外の少なくとも１つの外観特性は、色の不定性を備えていてよい。少なくとも２枚の比較サンプルは、各サンプル内に各々異なる形で分布した色の不定性を備えるように構成することができる。少なくとも２枚の比較サンプルは、背景色と、背景職上に分布したマークとを備えていてよく、このマークの色は背景色とは異なる。少なくとも２枚の比較サンプルの一方は、少なくとも２枚の比較サンプルの他方とは異なる数のマーク、異なる分布のマーク、異なるサイズのマークの内の少なくとも１つを備えることができる。色以外の少なくとも１つの外観特徴は、レリーフの不定性を備えていてよい。少なくとも２枚の比較サンプルは、異なる分布のレリーフを備えることができる。各々の比較サンプルは、一定でない輝度を備えるように構成することができる。各々の比較サンプルは、少なくとも１つの比較的光沢のある範囲を設けていてよく、この少なくとも１つの比較的光沢のある範囲は光沢ワニスを備えている。各々の比較サンプルは、少なくとも１つの比較的光沢のない範囲を設けていてよく、この少なくとも１つの比較的光沢のない範囲は無光沢ワニスを備えている。各々の比較サンプルはレリーフパターンを備えていてよく、このレリーフパターンは一定でない輝度を提供するように構成されている。レリーフパターンは、少なくとも１つの溝と少なくとも１つの平坦部分を備えていてよい。少なくとも１つの平坦部分は光沢ワニスで被覆されていてよい。少なくとも１つの溝は、光沢ワニスで被覆されていなくてよい。各々の比較サンプルは、実質的に一定な輝度を備えるように構成することができる。
【００６３】
どの比較サンプルがケラチン性要素の色以外の少なくとも１つの外観特性と実質的に関連するかの決定は、ケラチン性要素をその比較サンプルと比較できるようにするために、ケラチン性要素をその比較サンプルの少なくとも１部分の付近に配置する。
【００６４】
各々の比較サンプルは、サンプルの少なくとも１つの色、色以外の少なくとも１つの外観特性と関連した識別子を備えていてよく、製品の製造は、選択した比較サンプルの識別子に基づいた製品の製造をさらに備えていてよい。
【００６５】
識別子は英数字コードであってよい。
【００６６】
ケラチン性要素の製品による処置を観察する方法を提供し、該方法は、
-  ケラチン性要素の色及び色以外の外観特性と実質的に関連する比較サンプルを選択し、
-  ケラチン性要素に製品を塗布し、
-  製品を塗布したケラチン性要素の少なくとも１つの色と、色以外の少なくとも１つの外観特性が、製品の塗布後に変化したかどうかを、ケラチン性要素をシステムの比較サンプルと比較することで決定する。
【００６７】
色以外の少なくとも１つの外観特性は輝度を備えていてよい。製品は、ケラチン性要素の輝度に影響することができる。少なくとも２枚の比較サンプルは、異なる輝度を備えるように構成することができる。
【００６８】
該方法は、ケラチン性要素に塗布する複数の異なる製品からの選択を備えていてよく、該製品の選択は、選択した比較サンプルに基づくもとである。
【００６９】
各々の比較サンプルは、サンプルの色と、色以外の少なくとも１つの外観特性とに関連した識別子を備えていてよく、複数の異なる製品の各々は、比較サンプルの識別子の内の１つと一致する識別子を備えていてよく、製品の選択は、選択した比較サンプルの識別子と一致する識別子を備えていてよい。製品は、ケラチン性要素のレリーフ又は色に影響することができる。
【００７０】
ケラチン性要素と比較サンプルの比較は、ケラチン性要素のその比較サンプルの少なくとも１部分の付近への配置を備えることができる。
【００７１】
本発明はさらに、ケラチン性要素に塗布する製品の選択方法を提供し、該方法は、
-  製品を塗布するケラチン性要素と一致する色と、色以外の少なくとも１つの外観特性とを有する比較サンプルを選択し、
-  選択した比較サンプルに基づいて、ケラチン性要素に塗布する複数の異なる製品から１つの製品を選択する。
【００７２】
各比較サンプルは、サンプルの色と、色以外の少なくとも１つの外観特性とに関連した識別子を備えることができ、製品の選択は、選択した比較サンプルの識別子に基づいて行うことができる。
【００７３】
複数の製品の各々は、比較サンプルの識別子と一致する識別子を備えていてよく、製品の選択は、選択した比較サンプルの識別子と一致する識別子を備えた製品の選択を有することができる。
【００７４】
複数の製品の各々について、色と輝度は異なっていてよい。
【００７５】
本発明はさらに、ケラチン性要素の処置方法を提供し、この方法は、
-  ケラチン性要素に、所望の色と、色以外の少なくとも１つの外観特性とに関連する比較サンプルを選択し、
-  選択した比較サンプルに基づいて、ケラチン性要素を処置する。
【００７６】
この処置は、ケラチン性要素への製品の塗布を備えることができる。
【００７７】
この方法は、複数の異なる製品からの、ケラチン性要素を処置する製品の選択を備えていてよく、この選択は、選択した比較サンプルに基づいて行われる。
【００７８】
各比較サンプルは、サンプルの色と、色以外の少なくとも１つの外観特性とに関連した識別子を備えていてよく、製品の選択は、選択した比較サンプルの識別子に基づいて行うことができる。
【００７９】
複数の製品の各々は、比較サンプルの識別子の１つと一致する識別子を備えていてよく、製品の選択は、選択した比較サンプルの識別子と一致する識別子を有する製品の選択を備えていてよい。
【００８０】
ケラチン性要素の分析を可能にする方法であって、この方法は、
-  ケラチン性要素の外観を模造する少なくとも１つの画像を伝送し、画造が、ケラチン性要素の色、及び色以外の少なくとも１つの外観特性を模造するよう構成されている。
【００８１】
この方法はさらに、該少なくとも１つの画像が、ケラチン性要素の色及び色以外の少なくとも１つの外観特性と実質的に関連するかどうかを決定するために、分析するケラチン性要素を少なくとも１つの画像と比較する。該画造の伝送は、ネットワークを介した画像の伝送を備えることができる。該ネットワークは、インターネット、イントラネット、急送便システム、メールシステム、小売商店の少なくとも１つから選択することができる。
【００８２】
本発明のこれ以外の特徴及び利点は、以下の非限定的な実施の形態の詳細な説明を読解し、添付の図面を検討することで明らかになる。
【００８３】
【発明の実施の形態】
図１は本発明によるマッチングチャート１を示し、このマッチングチャート１は、各々が皮膚の色1色を再現する複数の比較サンプル４を備えている。
【００８４】
説明した例における比較サンプル４の各々は、着色したコーティングで被覆された媒体を備えている。
【００８５】
各比較サンプルは、説明した例では６０ｍｍ×１００ｍｍに近い寸法の、実質的に矩形の形状をしている。
【００８６】
各比較サンプル４は該サンプルを貫通した穴８を備え、説明した例において、この穴は直径約２０ｍｍの円形であり、サンプルの長さの約１/３の位置に配設されている。
【００８７】
比較サンプル４を身体又は顔の1部分上、例えば図４に示すように前腕Ａの上に置くと、このような穴８によって、皮膚と比較サンプル４の両方の状態を同時に観察することができるため、比較が容易になる。
【００８８】
正方形や円形の形状と比較して、使用時に、必要に応じて比較サンプル４を特定の方向に向けることができるのは矩形の比較サンプル４であり、このことは、皮膚の質感（?texture）が異方性であることから、比較サンプルを皮膚の質感を模造するべく使用する場合に好ましいことがわかった。
【００８９】
各比較サンプル４は、例えば1つ又はそれ以上の英数字で構成された識別子１５を備えている。
【００９０】
説明した例において、チャート１は、５０色の皮膚の色と、光沢のない皮膚と光沢のある皮膚の区別を行うべく、この５０色の各色毎に設けた２つの輝度とに関連した１００枚の比較サンプル４から構成されている。
【００９１】
この場合、全ての比較サンプル４の質感は同一である。
【００９２】
この例では、５０色は、５つの色調を１０レベルの明度と組合わせてできたものである。
【００９３】
ＣＩＥＬ*Ｃ*ｈ  １９７６  色スペースで測定した色調角度（ｈ）は４０°〜７０°の範囲内、好ましくは４６°〜６４°の範囲内に入る。
【００９４】
説明した例では、ＣＩＥＬ*Ｃ*ｈ  １９７６  色スペース中の明度レベルＬ*は、２０〜８０の範囲内、好ましくは３０〜７０の範囲内に入る。
【００９５】
彩度レベルは、範囲１２〜３０の範囲内に入ることが好ましく、２２周辺にあることがより好ましい。
【００９６】
比較サンプル４は、図１に示すように、ピン９で蝶番止めした扇状に接続するか、又は、図２、図３に示すようにループ１５の手段でまとめることができる。
【００９７】
チャートの比較サンプル４は、様々な方法でまとめることができる。
【００９８】
図１に示すように、全ての比較サンプル４を１つの束３として接続することができる。
【００９９】
また、比較サンプルを扱い易くするために、複数の独立したグループを作ることも可能である。
【０１００】
図２に示すチャート１’は１０個の束３’を備えており、この束３’の各々は、別の束とは異なる決められた色調に関連し、また、５枚の比較サンプルの２セットで構成されている。
【０１０１】
各セットにおいて、比較サンプル４の明度レベルは異なるが、色調は同じである。
【０１０２】
２セットの内、一方のセットの比較サンプルの輝度は、他方のセットの比較サンプルの輝度とは異なる。
【０１０３】
図３に示すチャート１は５個の束３’’を備えており、各束３’’は、別の束の明度レベルとは異なる決められた明度レベルに関連し、また、色調は異なるが、同じ明度の２０枚の比較サンプル４で構成されている。
【０１０４】
所与の束は、色調は同じであるが、輝度が異なる比較サンプルを備えている。
【０１０５】
本発明の範囲を超えない限り、別のグルーピングを実現することもできる。
【０１０６】
隣接した２枚の色比較サンプル４の、ＣＩＥＬ*Ｃ*ｈ  １９７６  色スペースで測定した視覚的な色の差は好ましくは一定であり、例えば４と等しく、また、この値のために、トレーニングを受けていない人物でも容易に２枚の比較サンプル４間の色の変化を認識することができる。
【０１０７】
比較サンプル４により、皮膚の色を、光源の種類、特に、日中の光、人工の白熱灯の光又は蛍光灯の光であるかに関わらず忠実に再現することが可能になる。
【０１０８】
一般に、関連する４００〜８００ｎｍの波長範囲の皮膚の反射率スペクトルと可能な限り近く関連した比較サンプルの反射率スペクトルを作成することが望ましい。
【０１０９】
そのため、比較サンプル４は、特に白色人種、黒人種、アジア人的な皮膚の全種類の反射率スペクトルに関する知識に基づいて作成される。
【０１１０】
例として、図５中の連続線は、関連する比較サンプルの波長（インチ  ｎｍ）の関数としての反射された相対強度ＩＲＭＯＤ（インチ％）を示す。
【０１１１】
好ましくは、△、すなわち容量は、
0004478365.tif 000003
ここで、＜０．０１、好ましくは＜０．０５であり、より好ましくは＜０．０１である。
【０１１２】
比較サンプル４と関連する皮膚の反射率が非常に近い、すなわち、△が非常に小さいスペクトルサブレンジを優先させることが可能である。
【０１１３】
例えば、赤、及びその様々な陰影に関連したスペクトル範囲（６００ｎｍ；７５０ｎｍ）に特定の優先を与えることができる。
【０１１４】
例として、△は、このスペクトル範囲内の０．０１よりも小さいか、あるいはこれと等しくあってよい。
【０１１５】
各々の比較サンプル４について望ましい反射率スペクトルを得るために、所与の反射率スペクトルに関連した色素の構成を決定する従来のソフトウェアを使用することができる。
【０１１６】
例えば、Ｄａｔａｃｏｌｏｒ  Ｉｎｔｅｒｎａｔｉｏｎａｌ社製のＤａｔａｍａｔｃｈソフトウェアを使用することができる。
【０１１７】
比較サンプル４の色を一定にすることができる。
【０１１８】
ある応用形では、比較サンプル４を、各々が一定でない色を呈するように、つまり、局所的に色調又は明度が異なるように作成することが可能である。
【０１１９】
次に、比較サンプル４のスペクトル反射率を、例えば直径１センチメートル（ｃｍ）のある範囲の平均値と関連させることができる。
【０１２０】
比較サンプル４上にパターンを作成し、皮膚の質感を模造することができる。
【０１２１】
このようにして各比較サンプル４に、より濃い、又はより薄い色の範囲を設けることができる。色の濃い範囲は、例えば背景とは違う暗褐色のような色のパターンを印刷することで得られる。
【０１２２】
さらに、レリーフを呈する媒体、例えば皮膚の粒子を模造するべくエンボス加工を施した媒体を使用して、皮膚の外観を模造することができる。
【０１２３】
エンボス加工は、例えばカラーコーティングの前後いずれかに、カレンダ法によって施すことができる。
【０１２４】
皮膚の形状をより良好に模造するために、また特に、その局所的に多少光沢を持つ特性を模造するために、比較サンプル４に一定でない輝度を与えることが好ましい。
【０１２５】
一定でない輝度を得るための様々な方法がある。
【０１２６】
特に、図６に示すように、平坦部分１０又は溝１１を設けることが可能である。
【０１２７】
溝１１の形状と一致したカラーコーティングの範囲は、平坦部分１０を覆うカラーコーティング範囲よりも光沢が少ない。
【０１２８】
応用として、又は追加的に、光沢ワニスを平坦部分１０に塗布することができるが、溝１１に塗布してはいけない。
【０１２９】
図７に示すように、平坦な媒体の、比較サンプル部分のみの上に、例えば約１００μｍの距離で離間した幅約３００μｍの範囲の形状に、光沢ワニス１２を塗布することで一定でない輝度を得ることが可能である。
【０１３０】
図８に示すような応用形では、例えば、約３００μｍの距離で相互に離間した幅１００μｍの範囲の形状に、無光沢ワニス１３を塗布することもできる。
【０１３１】
光沢ワニスと無光沢ワニスを並置又は重ねることも可能であり、例えば、図９に示すように、光沢ワニスの約３００μｍの範囲１２と、無光沢ワニスの約１００μｍの範囲を並置することができる。
【０１３２】
チャートの使用者は、皮膚の色だけでなく、これに関連する輝度も決定することができる。
【０１３３】
このチャートは、特に化粧品の分野において様々な方法で使用することが可能である。
【０１３４】
まず、このチャートは、例えば、類型特性を抽出するべく人口の統計学的研究を実施する際に有益である。
【０１３５】
さらに、このチャートを使用することで、個人が自分の皮膚の色及び輝度を正確に知ることができるようになり、それにより、化粧品、特にファンデーションの購入が容易になる。これは、比較サンプル上のものと同じ識別子を備えたファンデーションを選べばよいためである。また、適切な色及び輝度を選択したことを確認できる。
【０１３６】
さらに本発明によるチャートは、何らかの物質による処置後、又は単に太陽あるいは紫外線の人工光源への露出後の皮膚の色及び/又は輝度のバリエーションを決定する上でも有益である。
【０１３７】
このチャートによって、ある人物が所望の度合いに日焼けしたか否かを決定することが可能になる。
【０１３８】
所望の度合いに日焼けした場合には、同人物は日光へのそれ以上の露出が不要であることを知ることができ、また、過度な露出を避けたり、日光からの特別な保護を採用することができる。
【０１３９】
さらに、例えばセルフタニングローションのような、化粧品あるいはケア商品の、皮膚の色及び/又は輝度への影響を決定するために使用できる。
【０１４０】
このような状況下で使用者は、処置前の皮膚の色及び輝度と一致する基準の比較サンプルと比較することにより、処置の効果を確認できる。
【０１４１】
チャートは、図１〜図３に示すような物理形状に作成することが可能である。
【０１４２】
しかし、チャートを、例えば、比較サンプルを適切な媒体上に印刷又は表示するのに必要な全ての情報を含んだコンピュータデータファイルのように、非物理形状で使用者に提供しても、本発明の範囲を超えることはない。
【０１４３】
例として、図１０は、第１コンピュータ２０から第２コンピュータ２１へ伝送されているコンピュータデータファイルを示す。このデータファイルは、適切なプリンタ２２で様々な比較サンプルを印刷するために必要な情報を含んでいる。
【０１４４】
データは、コンピュータ２０、２１の間で、例えばインターネットのようなコンピュータネットワークの手段により伝送される。
【０１４５】
当然ながら、本発明は上述の説明に限定されるものではない。
【０１４６】
特に、決定したタイプの唇、爪、毛髪の色と、色以外の外観特性、特に輝度を忠実に再現するチャートを使用することができる。
【０１４７】
色以外の外観特性は、レリーフ、色の不定性、又はレリーフの不定性に存在していてよい。
【０１４８】
外観特性がレリーフにある場合、比較サンプルは、例えば異なるタイプの皮膚粒子を表す目的で、複数タイプのレリーフを呈することができる。
【０１４９】
このような比較サンプルは、特に、ピーリング効果のある物質のように、皮膚の粒子に影響を与えることを目的とした物質の作用を測定する場合にも有益である。
【０１５０】
色以外の外観特性がレリーフの不定性である場合、比較サンプルは、例えば皮膚が変化する状態を示すために、一定のレリーフから加齢中の非常に不規則なレリーフまで度合いの大きく異なるレリーフを呈することができる。
【０１５１】
色以外の外観特性が色の不定性である場合には、少なくとも２枚の比較サンプルを用いて、一方の比較サンプルと他方の比較サンプルに異なる個数の肝斑を設けることで、加齢に従って、特に太陽光線の影響により肝斑が現れる様子を示すことができる。
【０１５２】
【発明の効果】
ケラチン性要素の色及び外観特性を忠実に再現できるため、医療分野、美容分野、人口統計調査において有用である。
【図面の簡単な説明】
【図１】  本発明の第１実施の形態を構成するマッチングチャートの線図である。
【図２】、
【図３】  本発明の２つの応用実施の形態を示す線図である。
【図４】  比較サンプルを使用している様子を示す。
【図５】  特定の皮膚の反射率スペクトルと、関連する比較サンプルの反射率スペクトルを示すグラフである。
【図６】  一定でない輝度を提供する様々なコーティング又は媒体構造を示す線図である。
【図７】  一定でない輝度を提供する様々なコーティング又は媒体構造を示す線図である。
【図８】  一定でない輝度を提供する様々なコーティング又は媒体構造を示す線図である。
【図９】  一定でない輝度を提供する様々なコーティング又は媒体構造を示す線図である。
【図１０】  比較サンプルの遠隔印刷を可能にするシステムの高度な線図である。
【図１１】  英数字で構成された識別子１５を備えた、比較サンプル４を示す説明図である。
【図１２】  光沢ワニス１２と、光沢ワニスで被覆されていない溝とを備えた、比較サンプルを示す説明図である。
【符号の説明】
１、１’  マッチングチャート
３、３’、３’’  束
４  比較サンプル
８  穴
９  ピン
１０  平坦部分
１１  溝
１２  光沢ワニス
１３  無光沢ワニス
１５  ループ
２０  第１コンピュータ
２１  第２コンピュータ
２２  プリンタ
【図１】
0004478365.tif 000004
【図２】
0004478365.tif 000005
【図３】
0004478365.tif 000006
【図４】
0004478365.tif 000007
【図５】
0004478365.tif 000008
【図６】
0004478365.tif 000009
【図７】
0004478365.tif 000010
【図８】
0004478365.tif 000011
【図９】
0004478365.tif 000012
【図１０】
0004478365.tif 000013
【図１１】
0004478365.tif 000014
【図１２】
0004478365.tif 000015